(57)【特許請求の範囲】
【請求項１】
被測定者の体重と身体インピーダンスとをそれぞれ取得する取得部と、
被測定者個人に固有の年齢、身長及び性別の少なくとも一つを含む個人情報の入力操作を行うための第１操作部と、
前記取得部によって取得された体重と身体インピーダンスとを含む測定結果と、前記第１操作部によって入力された前記個人情報と、に基づいて、身体中の水分量に比して経時的に変動しにくい体組成に関する演算値を演算する演算部と、
少なくとも、前記体重と個人情報と演算値とを、被測定者を特定する被測定者特定情報に関連付けて記憶する記憶部と、
前記記憶部に記憶されている直近の演算値と、前記演算部によって新規に演算された新規演算値と、を比較する比較部と、
前記比較部によって比較することで得られた演算値の差分に基づいて、前記取得部によって取得された前記測定結果が、前記記憶部に記憶された前記被測定者特定情報のうち、いずれの被測定者特定情報に対応する測定結果であるかを特定する被測定者特定部と、
を備える、個人認証装置。
【請求項２】
請求項１に記載の個人認証装置において、
前記記憶部に記憶された被測定者特定情報が複数である、個人認証装置。
【請求項３】
請求項２に記載の個人認証装置において、
前記被測定者特定部は、前記演算値の差分が最小であるものに対応する前記被測定者特定情報を選択する、個人認証装置。
【請求項４】
請求項１に記載の個人認証装置において、
前記被測定者特定部によって特定されなかった場合、該当する体重と個人情報と演算値とを、前記記憶部から削除する、個人認証装置。
【請求項５】
請求項１乃至４のいずれか１つに記載の個人認証装置において、
前記体組成に関する演算値は、体重から除脂肪量を差し引いたものである、個人認証装置。
【請求項６】
請求項１乃至４のいずれか１つに記載の個人認証装置において、
前記体組成に関する演算値は、筋肉量である、個人認証装置。
【請求項７】
請求項１乃至６のいずれか１つに記載の個人認証装置において、
前記被測定者特定情報を表示する表示部と、
前記表示部に前記被測定者特定情報を表示するように制御する表示制御部と、をさらに備える、個人認証装置。
【請求項８】
請求項７に記載の個人認証装置において、
前記表示制御部によって、前記被測定者特定情報に関する正誤の確認を促す確認情報が前記表示部に表示され、
前記表示部に表示された前記確認情報に基づいて、前記被測定者特定情報を容認又は修正するかについての入力操作を行うための第２操作部を備える、個人認証装置。
【請求項９】
請求項１乃至８のいずれか１つに記載の個人認証装置を備える、体重体組成計。
【発明の詳細な説明】
【技術分野】
【０００１】
この発明は、登録された個人のうち、いずれの個人が使用しているかを認証する個人認証装置及び体重体組成計に関する。
【背景技術】
【０００２】
従来、体重体組成計では、体組成を算出するために被測定者の年齢、身長及び性別などの個人情報を利用している。したがって、体組成を測定する前に、すでに登録された個人特定番号の中から、個人情報に関連付けされた個人特定番号のいずれが、今回の測定に対応するものであるかを選択する必要がある。しかしながら、すでに登録された個人特定番号の中から被測定者に対応する個人特定番号を指定する作業、あるいは、個人特定番号を記憶する作業が、体組成の算出プロセスの中で行われていることから、個人特定番号を指定すること及び記憶することが被測定者に強いられている。そこで、例えば、特許文献１は、すでに登録された個人特定番号の中から、被測定者に対応する個人特定番号を自動的に認識する個人認識機能を備えた体重体組成計を開示している。
【先行技術文献】
【特許文献】
【０００３】
【特許文献１】特開２００９−２１３５２８号公報
【発明の概要】
【発明が解決しようとする課題】
【０００４】
特許文献１に開示された個人認識方法は、過去に測定した体重値及び生体電気インピーダンス値と、今回測定した体重値及び生体電気インピーダンス値と、をそれぞれ比較して、過去に測定されたものの中で今回測定したものに最も近いものが、今回測定した被測定者のものであると判断している。特許文献１において個人認識のために用いている体重値及び生体電気インピーダンス値は、身体中に含まれる水分の量に依存するものであり、身体中に含まれる水分の量は、日内や週内で変動しやすいという性質がある。したがって、特許文献１に開示された個人認識方法は、個人認識のために用いている体重値及び生体電気インピーダンス値が日内や週内で変動しやすいために、個人認識の精度が低いという問題を有する。
【０００５】
そこで、この発明の課題は、経時的な変動を受けにくくて、高い精度で個人認識を行うことができる個人認証装置及び体重体組成計を提供することである。
【課題を解決するための手段】
【０００６】
上記課題を解決するため、この発明の個人認証装置は、
被測定者の体重と身体インピーダンスとをそれぞれ取得する取得部と、
被測定者個人に固有の年齢、身長及び性別の少なくとも一つを含む個人情報の入力操作を行うための第１操作部と、
前記取得部によって取得された体重と身体インピーダンスとを含む測定結果と、前記第１操作部によって入力された前記個人情報と、に基づいて、身体中の水分量に比して経時的に変動しにくい体組成に関する演算値を演算する演算部と、
少なくとも、前記体重と個人情報と演算値とを、被測定者を特定する被測定者特定情報に関連付けて記憶する記憶部と、
前記記憶部に記憶されている直近の演算値と、前記演算部によって新規に演算された新規演算値と、を比較する比較部と、
前記比較部によって比較することで得られた演算値の差分に基づいて、前記取得部によって取得された前記測定結果が、前記記憶部に記憶された前記被測定者特定情報のうち、いずれの被測定者特定情報に対応する測定結果であるかを特定する被測定者特定部と、
を備えることを特徴とする。
【０００７】
本明細書における「身体中の水分量に比して経時的に変動しにくい体組成に関する演算値」とは、体脂肪量（率）、筋肉量（率）、除脂肪量、骨量、水分量などの身体を構成する組成分に関する演算値のうち、日内や週内のような短期間で変動しやすい水分量のような演算値を除外したものを意味して、例えば、体脂肪量（率）、筋肉量（率）のような演算値である。
【０００８】
この発明の個人認証装置では、演算部が取得部によって取得された被測定者（典型的には、体重体組成計の使用者を指す。以下同様。）の体重と身体インピーダンスとを含む測定結果と、第１操作部によって入力された前記個人情報と、に基づいて、身体中の水分量に比して経時的に変動しにくい体組成に関する演算値を演算する。記憶部は、体重と個人情報と演算値とを、被測定者を特定する被測定者特定情報に関連付けて記憶する。比較部は、すでに記憶されている直近の演算値と、演算部によって新規に演算された新規演算値と、を比較することによって演算値の差分を求める。そして、被測定者特定部は、演算値の差分に基づいて、取得部によって取得された測定結果が、すでに記憶された被測定者特定情報のうち、いずれの被測定者特定情報に対応する測定結果であるかを特定する。当該特定された被測定者特定情報により、個人が認証（特定）される。
【０００９】
この発明の個人認証装置では、比較の対象となっているのが、身体中の水分量に比して経時的に変動しにくい体組成に関する演算値である。そのため、水分量の影響を受けて日内や週内のような短期間で変動しやすい体重と身体インピーダンスを比較の対象とするものよりも、経時的な変動を受けにくくなり、高い精度で個人認識を行うことができる。
【００１０】
一実施形態の個人認証装置では、前記記憶部に記憶された被測定者特定情報が複数であることを特徴とする。
【００１１】
この一実施形態の個人認証装置では、記憶部に記憶された複数の被測定者特定情報の中から、いずれに該当するかが特定することができる。
【００１２】
一実施形態の個人認証装置では、前記被測定者特定部は、前記演算値の差分が最小であるものに対応する前記被測定者特定情報を選択することを特徴とする。
【００１３】
この一実施形態の個人認証装置では、記憶部に記憶された被測定者特定情報という限定された範囲の中から演算値の差分が最小であるものに対応する前記被測定者特定情報を絞り込んで特定するだけでよいので、被測定者特定部によってなされる特定化処理が単純化・高速化される。
【００１４】
一実施形態の個人認証装置では、前記被測定者特定部によって特定されなかった場合、該当する体重と個人情報と演算値とを、前記記憶部から削除することを特徴とする。
【００１５】
この一実施形態の個人認証装置では、特定されずに不要になった体重と個人情報と演算値とを、記憶部に残しておくと、他の情報との間で混乱する恐れがある。そこで、それらを記憶部から削除することで、上記のような悪影響を防止することができる。
【００１６】
一実施形態の個人認証装置では、前記体組成に関する演算値は、体重から除脂肪量を差し引いたものであることを特徴とする。
【００１７】
この一実施形態の個人認証装置では、身体中の水分量に比して経時的に変動しにくい体組成に関する演算値のうち、体重から除脂肪量を差し引いたもの、すなわち体脂肪量を用いることができる。
【００１８】
一実施形態の個人認証装置では、前記体組成に関する演算値は、筋肉量であることを特徴とする。
【００１９】
この一実施形態の個人認証装置では、身体中の水分量に比して経時的に変動しにくい体組成に関する演算値のうち、筋肉量を用いることができる。
【００２０】
一実施形態の個人認証装置では、前記被測定者特定情報を表示する表示部と、前記表示部に前記被測定者特定情報を表示するように制御する表示制御部と、をさらに備えることを特徴とする。
【００２１】
この一実施形態の個人認証装置では、被測定者に対する利便性を向上させて、被測定者が表示された内容を確認して誤った体重と個人情報と演算値が記憶部に記憶されることを防止することができる。
【００２２】
一実施形態の個人認証装置では、前記表示制御部によって、前記被測定者特定情報に関する正誤の確認を促す確認情報が前記表示部に表示され、前記表示部に表示された前記確認情報に基づいて、前記被測定者特定情報を容認又は修正するかについての入力操作を行うための第２操作部を備えることを特徴とする。
【００２３】
この一実施形態の個人認証装置では、被測定者特定情報の内容を確認する動作と、被測定者特定情報を容認又は修正する動作とが、行われることにより、被測定者に対する利便性を向上させて、被測定者が表示された内容を確認して誤った体重と個人情報と演算値が記憶部に記憶されることを防止することができる。
【００２４】
別の局面では、この発明の体重体組成計は、請求項１乃至８のいずれか１つに記載の個人認証装置を備えることを特徴とする。
【００２５】
この発明の体重体組成計では、経時的な変動を受けにくくなり、高い精度で個人認識を行うことができる。
【発明の効果】
【００２６】
以上より明らかなように、この発明の個人認証装置及び体重体組成計は、身体中の水分量に比して経時的に変動しにくい体組成に関する演算値を、被測定者を特定するときの比較対象とするものであるから、水分量の影響を受けて日内や週内のような短期間で変動しやすい体重と身体インピーダンスを比較の対象とするものよりも、経時的な変動を受けにくくなり、高い精度で個人認識を行うことができる。
【図面の簡単な説明】
【００２７】
【図１】この発明の個人認証装置を備える体重体組成計を示す斜視図である。
【図２】個人認証装置を備える体重体組成計の構成を示す機能ブロック図である。
【図３】個人認証装置を備える体重体組成計の概略的な動作フローを示す図である。
【図４】個人認証装置を備える体重体組成計の特徴的な動作フローを示す図である。
【図５】図４に示した動作フローに続く動作フローを示す図である。
【図６】記憶部に記憶される内容を例示する図である。（Ａ）は、測定前の状態であり、（Ｂ）は、個人認証完了後の状態であり、（Ｃ）は、未登録の別の個人として登録した状態であり、（Ｄ）は、ゲストとして認識した状態である。
【図７】表示部に表示される内容を例示する図である。（Ａ）は、被測定者特定情報の表示画面であり、（Ｂ）は、特定された被測定者特定情報と個人情報と測定結果とを示す表示画面であり、（Ｃ）は、変更された被測定者特定情報の表示画面であり、（Ｄ）は、変更された被測定者特定情報に関する個人情報の入力を促す画面である。
【発明を実施するための形態】
【００２８】
以下、この発明の実施の形態を、図面を参照しながら詳細に説明する。
【００２９】
この発明の一実施形態における個人認証装置１を備える体重体組成計１０は、測定対象である人（以下、被測定者という）の体重と、身体インピーダンスと、を測定する機能を有する。そして、後述するように、体重と、身体インピーダンスと、被測定者個人に固有の年齢、身長及び性別の少なくとも一つを含む個人情報と、に基づいて、体組成を演算する。演算された体組成は、身体を組成する成分（身体を構成する組織）の割合もしくは量を表わし、例えば、体脂肪率、筋肉率、除脂肪量、体脂肪量、筋肉量、骨量、水分量である。
【００３０】
図１は、個人認証装置１を備える体重体組成計１０は、筐体６の上面に形成された載置面７と、載置面７に設けられた複数の電極１８と、筐体６の下部の各コーナー部に配置される複数のロードセル（体重センサ）１９と、を含む。電極１８は、被測定者の身体インピーダンスを測定するために身体に定電流を印加するための電極１８ａ，１８ｂと、電流印加時に身体から導出される電圧を測定するための電極１８ｃ，１８ｄと、を含む。ロードセル（体重センサ）１９は、例えば、歪ゲージである。図１においては、４つのロードセル（体重センサ）１９を設けたものを例示したが、体重を正確に検出することができるならば、ロードセル（体重センサ）１９が２つあるいは１つであってもよい。
【００３１】
載置面７の上には、表示部１４と操作部１５とが、配設されている。
【００３２】
表示部１４は、表示画面（例えば、ＬＣＤ（Liquid Crystal Display）またはＥＬ（Electroluminescence）ディスプレイなど）を含む。表示部１４は、被測定者の個人情報（年齢、身長及び性別）、体重及び体組成、及び、被測定者特定情報（典型的には登録番号であるが、アルファベットのような文字、記号、それらを組合せたものであってもよく、以下、単に被測定者特定情報という。）等を表示画面に表示する。当該表示画面の制御は、表示制御部として機能する制御部１１によって行われる。表示部１４は、筐体６とは別体に設けられて、有線又は無線によって互いに通信可能に構成されたものとすることもできる。
【００３３】
操作部１５は、例えば、体重体組成計１０の電源をＯＮ／ＯＦＦするために操作される電源スイッチ１５ａと、被測定者の個人情報（年齢、身長及び性別）を入力するための第１操作部としての第１操作スイッチ１５ｂと、登録された複数の被測定者の中から今回の測定がいずれの被測定者に関するものであるかを特定するための第２操作部としての第２操作スイッチ１５ｃと、を備える。なお、操作部１５の設置場所は、被測定者が操作可能な位置であれば、図１に示した場所に限定されず、例えば、体重体組成計１０の筐体の側周面上に設置することもできる。また、操作部１５は、筐体６とは別体に設けられて、有線又は無線によって互いに通信可能に構成されたマウスやキーボードとすることもできる。
【００３４】
次に、図２を参照して、この発明の一実施形態に係る個人認証装置１を備える体重体組成計１０のハードウェア構成について説明する。
【００３５】
図２は、この発明の個人認証装置１を備える体重体組成計１０をネットワーク上でも使用可能な構成として例示したものである。体重体組成計１０は、ネットワーク（図示しない）を介して、サーバ（図示しない）に対して有線又は無線によって互いに通信可能に構成されている。
【００３６】
図２に示すように、体重体組成計１０は、制御部１１と、記憶部１２と、電源１３と、表示部１４と、操作部１５と、身体インピーダンス測定部１６と、体重測定部１７と、通信部２２と、を含む。
【００３７】
制御部１１は、ＣＰＵ（Central Processing Unit；中央演算処理装置）およびその補助回路を含み、体重体組成計１０の各部を制御し、記憶部１２に記憶されたプログラムおよびデータに従って各種の処理を実行する。すなわち、操作部１５、および、通信部２２から入力されたデータを処理し、処理したデータを、記憶部１２に記憶させたり、表示部１４で表示させたり、通信部２２から出力させたりする。
【００３８】
制御部１１は、ＣＰＵがプログラムを実行することにより、体重及び身体インピーダンスを含む今回の測定結果と記憶部１２から読み込んだ被測定者個人に固有の個人情報（年齢、身長及び性別）とに基づいて、身体を組成する成分（身体を構成する組織）の割合もしくは量を表す体組成の算出を行い、体組成算出部として働く。
【００３９】
制御部１１は、ＣＰＵがプログラムを実行することにより、体重及び身体インピーダンスを含む今回の測定結果と記憶部１２から読み込んだ被測定者個人に固有の個人情報（年齢、身長及び性別）とに基づいて、身体中の水分量に比して経時的に変動の少ない体組成の演算値（「体重−除脂肪量」で算出される体脂肪量、あるいは筋肉量）の演算を行い、演算値を演算する演算部として働く。
【００４０】
制御部１１は、さらに、登録された複数の個人のそれぞれについて、演算部としての制御部１１によって新規に演算された新規の演算値と、記憶部に格納されている直近の過去の演算値と、を比較して、両演算値の差分を算出する比較部として働く。
【００４１】
制御部１１は、さらに、演算値の差分に基づいて、取得部としての身体インピーダンス測定部１６及び体重測定部１７によって測定され且つ取得された今回の測定結果が、記憶部１２においてすでに記憶された被測定者特定情報のうち、いずれの被測定者特定情報に対応する測定結果であるかを特定する被測定者特定部として働く。被測定者特定部としての制御部１１は、具体的には、算出された演算値の差分の中から、差分が最も小さいものを選択して、差分が最も小さいものに対応する被測定者特定情報を特定する。
【００４２】
制御部１１は、さらに、被測定者特定情報、個人情報（年齢、身長及び性別）、測定結果（例えば、体重）、算出される体組成（例えば、体脂肪量や筋肉量）又は正誤の確認画面を表示部１４に表示制御する表示制御部として働く。
【００４３】
記憶部１２は、制御部１１でプログラムを実行するために必要な作業領域として用いられるＲＡＭ（Random Access Memory）と、制御部１１で実行するための基本的なプログラムを記憶するためのＲＯＭ（Read Only Memory）と、を含む。また、記憶部１２の記憶領域を補助するための補助記憶装置の記憶媒体として、半導体メモリ（メモリカード、ＳＳＤ（Solid State Drive））などを用いることができる。
【００４４】
記憶部１２は、被測定者の個人情報（性別、年齢、身長）と、被測定者の体重と、被測定者の体組成に関する演算値とを、時系列で被測定者毎に記憶部１２に格納する。このとき、個人情報と体重と演算値とは、被測定者を特定するための被測定者特定情報に関連付けて記憶される。記憶部１２は、複数人分の情報を登録するのに十分な容量を有している。記憶部１２は、通常、登録された複数の個人に関する被測定者特定情報、個人情報（年齢、身長及び性別）、測定結果（例えば、体重）、算出される体組成（例えば、体脂肪量や筋肉量）、及び身体中の水分量に比して経時的に変動しにくい体組成に関する演算値（体脂肪量（率）、筋肉量（率））をそれぞれ記憶している。
【００４５】
操作部１５は、上述したように、例えば、電源スイッチ１５ａと第１操作スイッチ１５ｂと第２操作スイッチ１５ｃとのように複数のスイッチから構成されているが、例えばタッチパネルで構成することもできる。操作部１５を通じて被測定者によって入力された操作信号は、操作を示す操作信号として、制御部１１に入力される。
【００４６】
表示部１４及び操作部１５は、制御部と記憶部と電源と表示部と操作部と通信部とを含むような、例えば、デスクトップ型パーソナルコンピュータのような据え置き型情報処理端末、ノート型パーソナルコンピュータのような可搬性のある情報処理端末、あるいは、携帯電話やスマートフォンやタブレット（tablet）のような携帯型情報処理端末の一部分とすることもできる。
【００４７】
身体インピーダンス測定部１６は、被測定者の身体インピーダンスを測定するための電流印加用電極（１８ａ，１８ｂ）から生体に電流を印加し、電圧検知用電極（１８ｃ，１８ｄ）で電圧を検知することにより、被測定者の身体インピーダンスを測定する。体重測定部１７は、歪ゲージ（図示しない）で検出される抵抗値の変化を検知することによって、被測定者の体重を測定する体重センサである。身体インピーダンス測定部１６及び体重測定部１７は、被測定者の身体インピーダンス及び体重をそれぞれ測定して測定結果を取得する取得部として働く。
【００４８】
通信部２２は、ネットワークを介して、制御部１１によって生成されたデータや記憶部１２に格納されていたデータをサーバへ送信したり、サーバの制御部（図示しない）によって生成されたデータやサーバの記憶部（図示しない）に格納されていたデータを受信したりするために用いられる。
【００４９】
次に、図３を参照しながら、この発明の一実施形態における個人認証装置１を備える体重体組成計１０の概略動作について説明する。図３のフローチャートに示される処理は、制御部１１のＣＰＵが、記憶部１２のＲＯＭに格納されたプログラムを読み出して、図２に示した各構成要素を制御することで実行される。
【００５０】
被測定者が体重体組成計１０の電源スイッチ１５ａをＯＮにする（ステップＳ１０）と、制御部１１が体重測定部１７の校正処理を実行する。校正完了後、使用しようとする被測定者の被測定者特定情報及び測定日時に関する設定が可能となる（ステップＳ１２）。被測定者により被測定者特定情報が指定されると、制御部１１は、当該被測定者特定情報に関連付けられた個人情報（年齢、身長及び性別）を記憶部１２から読み込む（ステップＳ１４）。
【００５１】
被測定者の足裏が体重体組成計１０上の電極１８ａ，１８ｂ，１８ｃ，１８ｄのそれぞれに接触するように、被測定者が載置面７の上に乗る。そして、被測定者が静止の測定姿勢を維持すると、体重測定部１７が体重の測定を行う（ステップＳ１６）。また、身体インピーダンス測定部１６が身体インピーダンスの測定を行う（ステップＳ１８）。当該測定によって取得された測定結果が、制御部１１に入力される。
【００５２】
体組成算出部としての制御部１１は、体重及びインピーダンスの測定結果と、記憶部１２から読み込まれた被測定者特定情報と、に基づいて、各種の体組成を算出する（ステップＳ２０）。
【００５３】
すなわち、制御部１１は、被測定者の体重と、身体インピーダンスと、被測定者の個人情報（年齢、身長及び性別）を用いて、公知のアルゴリズムに従って、被測定者の全身または部位別の体組成を算出する。
【００５４】
算出される体組成としては、例えば、内臓脂肪量（率）、皮下脂肪量（率）のような体脂肪量（率）、骨格筋量（率）のような筋肉量（率）、水分量などである。これらの体組成は、全身だけでなく、腕、体幹、脚等の部位毎に算出することも可能である。さらに、これらの算出結果に基づいて、基礎代謝量、肥満度、体年齢などの健康管理やダイエットに有益な指針情報を生成することもできる。体組成の算出は、公知の手法を用いることができ、例えば、次の式（１）及び式（２）を用いて、除脂肪量（ＦＦＭ）や、全身の体脂肪率（％ＦＡＴ）を算出することができる。
％ＦＡＴ＝［（Ｗ−ＦＦＭ）／Ｗ］×１００ ・・・・・（１）
ＦＦＭ＝ａ×Ｈ２／Ｚｗ＋ｂ×Ｗ＋ｃ×Ａｇ＋ｄ ・・・（２）
（ここで、ＦＦＭ：除脂肪量、Ｗ：体重、Ｈ：身長、Ｚｗ：インピーダンス、Ａｇ：年齢、ａ〜ｄ：定数である。）
【００５５】
制御部１１は、測定された体重、算出された体組成などの生体情報を表示部１４に表示する（ステップＳ２２）。表示部１４に表示された生体情報から、被測定者は測定結果を確認することができる。制御部１１は、被測定者の体重や体組成等の生体情報を、被測定者の被測定者特定情報と測定日時情報（タイムスタンプ）とを関連付けて、記憶部１２に保存する（ステップＳ２４）。記憶部１２に格納できる容量に制限がある場合には、最も古い生体情報及び測定日時情報を削除して、最新の生体情報及び測定日時情報が追加される。
【００５６】
被測定者が体重体組成計１０の電源スイッチ１５ａをＯＦＦにするか、入力操作が所定時間以上行われていないことを制御部１１が検出すると、制御部１１は、体重体組成計１０の電源をＯＦＦにする（ステップＳ２６）。これにより、体重体組成計１０における一連の基本的な動作が終了する。
【００５７】
次に、図４乃至７を参照しながら、この発明の一実施形態における個人認証装置１における個人認証の処理動作について具体的に説明する。図４のフローチャートに示される処理動作は、制御部１１のＣＰＵが、記憶部１２のＲＯＭに格納されたプログラムを読み出して、図２に示した各構成部を制御することで実行される。
【００５８】
まず、個人認証に関する処理動作を行う前の記憶部１２においては、例えば、図６（Ａ）に示すような内容が記憶されている。すなわち、図６（Ａ）において、例えば、登録番号１及び２がすでに登録済みであり、過去に測定された体重と、過去に算出された「体重−ＦＦＭ（除脂肪量）」や体脂肪率等の体組成という生体情報、年齢、身長及び性別という個人情報と、がそれぞれ記憶部１２に記憶されている。ここで、身長の単位は、ｃｍである。性別において、Ｆは女性を、Ｍは男性を、それぞれ表す。また、登録番号３及び４が未登録であり、生体情報及び個人情報の項目がブランクになっている。ゲストは、結果を一時的に算出して表示するためのものであるから、生体情報及び個人情報の項目が保存されることはなく、ブランクになっている。
【００５９】
１）被測定者によって、体重体組成計１０の電源スイッチ１５ａがＯＮにされると、体重測定部１７及び身体インピーダンス測定部１６は、被測定者自身の体重及び身体インピーダンスをそれぞれ測定する（ステップＳ５０）。この発明を制限しない今回の測定結果を例示すると、体重が５３．２５ｋｇであり、身体インピーダンスが４４５Ωである。両方の測定が終わると、制御部１１は、すでに登録された被測定者特定情報のそれぞれに対して、すでに登録されている体重と今回測定された体重との差が、ある閾値以上であるか否かを判断する（ステップＳ５２）。ここで、体重差の閾値は、例えば１０ｋｇである。ステップＳ５２において、すでに登録されている体重と今回測定された体重との差を比較検討しているのは、明らかに大きな体重差がある場合には、今回の被測定者が非登録者（ゲスト）であると考える方が合理的であるからである。
【００６０】
（すでに登録された被測定者特定情報の中から認識される場合）
２）ステップＳ５２において、すでに登録されている体重と今回測定された体重との差が、ある閾値よりも小さいと制御部１１が判断すると、演算部としての制御部１１は、今回の測定によって取得された体重及び身体インピーダンスの測定結果を用いて、登録された被測定者特定情報のそれぞれに対して、身体中の水分量に比して経時的に変動しにくい体組成に関する演算値を演算する（ステップＳ５４）。ここで、当該演算値は、すでに登録されている個人のそれぞれの個人情報（年齢、身長及び性別）を利用して演算される。また、身体中の水分量に比して経時的に変動しにくい体組成に関する演算値（以下、単に演算値という。）とは、「体重−ＦＦＭ（除脂肪量）」で算出される体脂肪量、あるいは筋肉量である。
【００６１】
３）比較部としての制御部１１は、登録された被測定者特定情報のそれぞれについて、今回の演算によって新たに得られた新規の演算値と、記憶部１２に格納されている過去の直近の演算値と、を比較して、両演算値の差分を算出する（ステップＳ５６）。
【００６２】
４）被測定者特定部としての制御部１１は、算出された演算値の差分の中から、差分が最も小さいものを選択して、差分が最も小さいものに対応する被測定者特定情報を特定する（ステップＳ５８）。
【００６３】
５）表示制御部としての制御部１１は、特定された被測定者特定情報及び／又は個人情報及び／又は測定結果（典型的には、体重）を表示部１４に表示させる（ステップＳ６０）。
【００６４】
６）表示制御部としての制御部１１は、特定された被測定者特定情報に関する正誤の確認を被測定者に促すような確認画面を表示部１４に表示させる（ステップＳ６２）。
【００６５】
７）ステップＳ６２において、特定された被測定者特定情報が正しいという入力が操作部１５からなされると、再確認のために、表示制御部としての制御部１１は、特定された被測定者特定情報及び／又は個人情報及び／又は測定結果（典型的には、体重）を表示部１４に表示させる（ステップＳ６４）。例えば、図７の（Ａ）及び（Ｂ）に示すような画面を表示する。図７（Ａ）は、被測定者特定情報としての登録番号（個人番号）が、１であることを表している。図７（Ｂ）は、登録番号１の個人の体重が６２．７５ｋｇであること等を表している。
【００６６】
８）制御部１１は、今回の測定によって取得された被測定者の体重や体組成等の生体情報を、被測定者の被測定者特定情報と測定日時情報（タイムスタンプ）とに関連付けて、記憶部１２に保存する（ステップＳ６６）。
【００６７】
個人認証に関する処理動作を行った後の記憶部１２においては、例えば、図６（Ｂ）に示す内容が記憶されている。すなわち、図６（Ｂ）において、図６（Ａ）に示される登録済みの被測定者特定情報の中から、今回の測定を行った被測定者に対応する被測定者特定情報が登録番号１に該当することを特定し、登録番号１に対して、生体情報（体重、体組成）を今回の測定によって得られたものに更新する。登録番号２については、今回の特定処理動作によって該当しないと特定されたので、生体情報を更新することなく、図６（Ａ）に示される測定前の生体情報のままになっている。なお、登録番号３及び４は、未登録のままであって、生体情報及び個人情報の項目がブランクである。ゲストについても、生体情報及び個人情報の項目がブランクになっている。
【００６８】
９）被測定者が体重体組成計１０の電源スイッチ１５ａをＯＦＦにするか、入力操作が所定時間以上行われていないことを制御部１１が検出すると、制御部１１は、体重体組成計１０の電源をＯＦＦにする。その結果、すでに登録された被測定者特定情報の中から、今回の測定を行った被測定者に対応する被測定者特定情報を特定するという、個人認証に関する処理動作が終了する。
【００６９】
このように、この個人認証装置１を備える体重体組成計１０によれば、取得部として働く体重測定部１７及び身体インピーダンス測定部１６によってそれぞれ測定され且つ取得され被測定者の体重及び身体インピーダンスの測定結果と、第１操作部１５ｃによって入力された個人情報と、に基づいて、身体中の水分量に比して経時的に変動しにくい体組成に関する演算値を、演算部として働く制御部１１が演算する。記憶部１２は、体重と個人情報と演算値とを、被測定者を特定する被測定者特定情報に関連付けて記憶する。比較部として働く制御部１１は、すでに記憶されている直近の演算値と、今回の測定によって新規に取得された新規演算値と、を比較することによって演算値の差分を求める。そして、被測定者特定部として働く制御部１１は、演算値の差分に基づいて、取得部としての身体インピーダンス測定部１６及び体重測定部１７によって測定され且つ取得された今回の測定結果が、記憶部１２においてすでに記憶された被測定者特定情報のうち、いずれの被測定者特定情報に対応する測定結果であるかを特定する。当該特定された被測定者特定情報により、個人が認証（特定）される。
【００７０】
この個人認証装置１を備える体重体組成計１０では、比較の対象となっているのが、身体中の水分量に比して経時的に変動しにくい体組成に関する演算値であるので、水分量の影響を受けて日内や週内のような短期間で変動しやすい体重と身体インピーダンスを比較の対象とするものよりも、経時的な変動を受けにくくなり、高い精度で個人認識を行うことができる。
【００７１】
（ゲストとして認識される場合）
次に、今回の測定によって取得された被測定者の体重や体組成等の生体情報が、記憶部１２においてすでに登録されているものの中に該当するものが無いと制御部１１が判断して、今回の測定を行った被測定者をゲストとして認識する処理動作について説明する。そして、この発明の理解を容易にするとともにこの発明を制限しない数値を例示して説明するが、当該例示的数値として、体重が６５．２５ｋｇ、身体インピーダンスが５１０Ωを用いることができる。また、体重差の閾値は、例えば１０ｋｇである。
【００７２】
１０）ステップＳ５２において、すでに登録された体重と今回測定された体重との差が、ある閾値以上であると制御部１１が判断すると、図５におけるステップＳ８０のように、制御部１１は、今回の被測定者が非登録者（ゲスト）であると特定する。
【００７３】
１１）表示制御部としての制御部１１は、非登録者（ゲスト）であると特定された今回の被測定者を新規に登録するか否かの確認を被測定者に促すような確認画面を表示部１４に表示させる（ステップＳ８２）。
【００７４】
１２）ステップＳ８２において、非登録者（ゲスト）であると特定された今回の被測定者を新規に登録するという入力が操作部１５からなされると、表示制御部としての制御部１１は、被測定者特定情報と個人情報（年齢、身長及び性別）との入力を被測定者に促すような確認画面を表示部１４に表示させる（ステップＳ８４）。
【００７５】
１３）被測定者特定情報と、個人情報（年齢、身長及び性別）との入力が操作部１５からなされると、確認のために、表示制御部としての制御部１１は、入力された被測定者特定情報及び／又は個人情報（年齢、身長及び性別）及び／又は測定結果（典型的には、体重）を表示部１４に表示させる（ステップＳ８６）。例えば、図７の（Ｃ）及び（Ｄ）に示すような画面を表示する。図７（Ｃ）は、被測定者特定情報としての登録番号（個人番号）が、４であることを表している。図７（Ｄ）は、登録番号４の個人の生年月日が１９８８年１月１日であることを表している。
【００７６】
１４）制御部１１は、新規登録される被測定者の被測定者特定情報を、今回取得された被測定者の体重や体組成等の生体情報と個人情報（年齢、身長及び性別）と測定日時情報（タイムスタンプ）とに関連付けて、記憶部１２に保存する（ステップＳ８８）。
【００７７】
すでに登録されている被測定者特定情報とは別に、今回の測定を行った被測定者に対応する被測定者特定情報を新規に登録するという処理動作を行った後の記憶部１２は、例えば、図６（Ｃ）に示す内容を記憶している。すなわち、図６（Ｃ）において、登録番号１及び２が、今回の測定を行った被測定者に該当するものではないと制御部１１が特定したことから、生体情報を更新することなく、図６（Ａ）に示される測定前の生体情報のままになっている。未登録であった登録番号３及び４の中から登録番号４が選択されて、登録番号４が新規に登録される。すなわち、登録番号４について、今回取得された被測定者の体重や体組成等の生体情報と個人情報（年齢、身長及び性別）と測定日時情報（タイムスタンプ）とに関連付けて、記憶部１２に保存する。なお、登録番号３は、未登録のままであって、生体情報及び個人情報の項目がブランクである。ゲストについても、生体情報及び個人情報の項目がブランクになっている。
【００７８】
１５）被測定者が体重体組成計１０の電源スイッチ１５ａをＯＦＦにするか、入力操作が所定時間以上行われていないことを制御部１１が検出すると、制御部１１は、体重体組成計１０の電源をＯＦＦにする。その結果、すでに登録されている被測定者特定情報とは別に、今回の測定を行った被測定者に対応する被測定者特定情報を新規に登録するという処理動作が終了する。
【００７９】
したがって、今回の測定を行った被測定者が、非登録者（ゲスト）であると個人認証された場合であっても、必要に応じて新規登録することができるので、一旦電源をＯＦＦにして個人情報の登録を行った後に再度測定するという手間が不要になり、利便性が向上するという効果を奏する。
【００８０】
非登録者（ゲスト）であると特定された今回の被測定者を登録しないという処理動作を行った直前の記憶部１２は、例えば、図６（Ｄ）に示す内容を記憶している。すなわち、図６（Ｄ）において、登録番号１及び２が、今回の測定を行った被測定者のものに対応しないと制御部１１が特定したことから、生体情報を更新することなく、図６（Ａ）に示される測定前の生体情報のままになっている。登録番号３は未登録のままであって、生体情報及び個人情報の項目がブランクである。登録番号４が新規登録されている。非登録者（ゲスト）について、今回取得された被測定者の体重や体組成等の生体情報と個人情報（年齢、身長及び性別）を記憶部１２に一時的に保存している。
【００８１】
１６）ステップＳ８２において、非登録者（ゲスト）であると特定された今回の被測定者を登録しないという入力が操作部１５からなされると、制御部１１は、記憶部１２に一時的に保存されていた、今回取得された被測定者の体重や体組成等の生体情報と個人情報（年齢、身長及び性別）を削除する。
【００８２】
１７）被測定者が体重体組成計１０の電源スイッチ１５ａをＯＦＦにするか、入力操作が所定時間以上行われていないことを制御部１１が検出すると、制御部１１は、体重体組成計１０の電源をＯＦＦにする。その結果、今回の測定を行った被測定者が非登録者（ゲスト）であると判断された場合における処理動作が終了する。
【００８３】
したがって、今回の測定を行った被測定者が、非登録者（ゲスト）であると個人認証された場合に、今回取得された被測定者の体重や体組成等の生体情報と個人情報（年齢、身長及び性別）を記憶部１２から削除することにより、誤った情報に更新されたり誤った情報が保存されたりすることを防止することができ、他の情報との間で混乱する恐れが解消され、体重体組成計１０の信頼性が向上するという効果を奏する。
【００８４】
１８）ステップＳ６２において、特定された被測定者特定情報が誤っているという入力が操作部１５からなされると、表示制御部としての制御部１１は、今回の被測定者が登録された他の個人であるか否かの確認を被測定者に促すような確認画面を表示部１４に表示させる（ステップＳ７０）。例えば、「ＧＵＥＳＴ？」のような確認画面を表示させる。
【００８５】
１９）ステップＳ７０において、今回の測定を行った被測定者が、登録された複数の個人のうち他の個人でもないという入力が操作部１５からなされると、上記ステップＳ８０と同様に、制御部１１は、今回の被測定者が非登録者（ゲスト）であると特定して、上記１１）乃至１７）で規定された動作フローに従って、処理動作を行う。
【００８６】
２０）ステップＳ７２において、今回の測定を行った被測定者が、登録された複数の被測定者特定情報のうち、制御部１１によって特定された被測定者特定情報以外の他の被測定者特定情報に該当するという入力が操作部１５からなされると、表示制御部としての制御部１１は、正しい被測定者特定情報を入力することを被測定者に促すような確認画面を表示部１４に表示させる（ステップＳ７２）。例えば、「ＩＮＰＵＴ  ＹＯＵＲ  Ｎｏ．」のような確認画面を表示させる。
【００８７】
２１）ステップＳ７２において、入力された被測定者特定情報が正しいかを確認するために、表示制御部としての制御部１１は、特定された被測定者特定情報及び／又は個人情報及び／又は測定結果（典型的には、体重）を表示部１４に表示させる（ステップＳ７４）。
【００８８】
２２）制御部１１は、今回の測定によって取得された被測定者の体重や体組成等の生体情報を、正しく特定された被測定者特定情報と測定日時情報（タイムスタンプ）とに関連付けて、記憶部１２に保存する（ステップＳ７６）。
【００８９】
２３）被測定者が体重体組成計１０の電源スイッチ１５ａをＯＦＦにするか、入力操作が所定時間以上行われていないことを制御部１１が検出すると、制御部１１は、体重体組成計１０の電源をＯＦＦにする。その結果、すでに登録された被測定者特定情報の中から、今回の測定を行った被測定者に対応する被測定者特定情報を正しく特定するという、個人認証装置１における個人認証に関する処理動作が終了する。
【００９０】
なお、体重体組成計１０において行われる上述したような個人認証に関する制御は、図示しない別体の情報処理装置において、例えばサーバにおいて、あるいは、パーソナルコンピュータ、ＰＤＡ（パーソナル・デジタル・アシスタンツ）、スマートフォンやタブレット（tablet）等のような情報処理端末装置において行われるようにすることもできる。個人認証に関する当該制御は、通信部２２を介して行われる。個人認証に関する制御が、別体の情報処理装置において行われる場合、アプリケーションソフトウェアとして、ＣＤ、ＤＶＤ、フラッシュメモリ等の各種の記録媒体に記録することができる。
【符号の説明】
【００９１】
１  個人認証装置
１０  体重体組成計
１１  制御部
１２  記憶部
１４  表示部
１５  操作部
１５ｂ  第１操作部
１５ｃ  第２操作部
１６  身体インピーダンス測定部（取得部）
１７  体重測定部（取得部）
【図１】
0005949163.tif 000002
【図２】
0005949163.tif 000003
【図３】
0005949163.tif 000004
【図４】
0005949163.tif 000005
【図５】
0005949163.tif 000006
【図６】
0005949163.tif 000007
【図７】
0005949163.tif 000008